(57)【要約】【課題】  複数枚投入される２Ｋ，５Ｋをつり札紙幣としてリサイクルでき、また、１０Ｋの払い出し機能を損なうことのないようにする。【解決手段】  各種紙幣を一括して投入させる紙幣挿入／排出部１ｂ、この紙幣挿入／排出部１ｂによって投入された紙幣を分離搬送する紙幣搬送路４１，４２と、紙幣搬送路４２によって搬送される紙幣の種類を判別する鑑別部１３と、この鑑別部１３によって２千円と判別された紙幣の１枚目を保留させる一枚保留部２９と、鑑別部１３によって５千円と判別された紙幣の１枚目を保留させる一枚保留部２８と、鑑別部１３によって２千円及び５千円と判別された紙幣の２枚目以降を混合保留させる混合保留部２４とを具備する。【選択図】      図１
2005100169.tif 000002
【特許請求の範囲】
【請求項１】
各種紙幣を一括して投入させる投入手段と、
この投入手段によって投入された紙幣を分離搬送する搬送手段と、
この搬送手段によって搬送される紙幣の種類を判別する判別手段と、
この判別手段によって第１種別と判別された紙幣の１枚目を保留させる第１の保留手段と、
前記判別手段によって第２種別と判別された紙幣の１枚目を保留させる第２の保留手段と、
前記判別手段によって第１種別及び第２種別と判別された紙幣の２枚目以降を混合保留させる第３の保留手段と
を具備することを特徴とする紙幣処理装置。
【請求項２】
各種紙幣を一括して投入させる投入手段と、
この投入手段によって投入された紙幣を分離搬送する搬送手段と、
この搬送手段によって搬送される紙幣の種類を判別する判別手段と、
この判別手段によって第１種別と判別された紙幣の１枚目を保留させる第１の保留手段と、
前記判別手段によって第２種別と判別された紙幣の１枚目を保留させる第２の保留手段と、
前記判別手段によって第１種別及び第２種別と判別された紙幣の２枚目以降を混合集積させる第３の保留手段とを具備し、
前記第１及び第２の保留手段は、その内部に連続する第１及び第２の搬送経路を有し、この第１及び第２の搬送経路を２段構造とし、前記紙幣を前記第１の搬送経路に導入させて一次保留し、この一次保留した紙幣を前記投入された紙幣の金額の確定後に前記第２の搬送経路に搬送して二次保留することを特徴とする紙幣処理装置。
【請求項３】
前記第１及び第２の搬送経路は搬送ベルトによって構成され、
前記搬送ベルトに前記紙幣を押し付ける押圧ローラと、
前記紙幣を前記第１の搬送経路に停止させる第１のストッパと、前記第２の搬送経路に停止させる第２のストッパとを具備することを特徴とする請求項２記載の紙幣処理装置。
【請求項４】
前記押圧ローラは前記搬送ベルトに対し接離する方向に移動自在に設けられ、
前記第１及び第２のストッパは第１及び第２の搬送経路に対し進退する方向に移動自在に設けられ、
前記第１及び第２のストッパと前記押圧ローラとは連動機構を介して連動されることを特徴とする請求項３記載の紙幣処理装置。
【請求項５】
前記第１及び第２の保留手段の紙幣入口部の近傍に設けられ、紙幣を選択的に前記紙幣入口部に振り分ける振分ゲートを有し、
この振分ゲートは前記連動機構を介して前記第１及び第２のストッパさらに、前記押圧ローラの動作に連動されることを特徴とする請求項４記載の紙幣処理装置。
【請求項６】
前記第１及び第２の搬送経路に配設され前記紙幣の位置を検知する第１及び第２の検知センサを有し、
この検知センサの検知情報に基づいて前記紙幣の搬送を制御することを特徴とする請求項２記載の紙幣処理装置。
【請求項７】
前記判別手段によって第３種別と判別された紙幣を取込んで収納し、金庫扉によって開閉される第１の金庫と、
前記判別手段によって第４種別と判別された紙幣を取込んで収納し、金庫扉によって開閉される第２の金庫とを備え、
前記第１及び第２の保留手段は前記第１及び第２の金庫の直下に配設され、
前記第１及び第２の金庫の金庫扉は前記第１及び第２の保留手段の第２の搬送経路を開閉する開閉扉として兼用されることを特徴とする請求項２記載の紙幣処理装置。
【発明の詳細な説明】
【技術分野】
【０００１】
本発明は、例えば、自動券売機等に用いられる紙幣処理装置に関する。
【背景技術】
【０００２】
この種の紙幣処理装置は、紙幣挿入／排出口を備え、この紙幣挿入／排出口から一括挿入される複数枚の紙幣を一旦集積部に集積した後、分離ローラで１枚ずつ分離して鑑別部に送る。この鑑別部で紙幣の券種、真偽等が判定され、真券は各金種ごとの一時保留部に送られて保留される。
【０００３】
各金種ごとに一時保留された紙幣は上位側（券売機制御部）での金額確定とともに二次保留となり、更に取引終了（または次客投入）に基づいて金庫に回収される。
【０００４】
ところで、上記した紙幣の処理時には、必要に応じ釣り札が準備される。即ち、千円札（以下、１Ｋという）、１万円札（以下、１０Ｋという）は、金庫の一時保留部より１枚ずつ、２千円札（以下、２Ｋという）、５千円札（以下、５Ｋという）はそれぞれ一時保留部から１枚ずつ取り出されて紙幣挿入／排出部につり札として排出される（例えば、特許文献１参照。）
【特許文献１】特開２００２−２１６２０８号
【発明の開示】
【発明が解決しようとする課題】
【０００５】
しかしながら、従来においては、２Ｋ，５Ｋに関しては、「１枚のみの投入時に限り循環紙幣として保留可能、複数枚投入時には全てそのまま回収」という条件が付いている。
【０００６】
このため、２Ｋ，５Ｋの保留部（つり札用紙幣保留部）が空の状態で２Ｋ，５Ｋが投入されても、それが複数枚投入である限り、いつまでもつり札紙幣としてリサイクルを行うことができず、リサイクル率が上がらない。
【０００７】
また、２Ｋの収納部が１０Ｋの収納部と兼用であるため、「定期券解約時の払戻し」などの仕様に対し、１０Ｋの払い出し機能が使えないため、機能ダウンを余儀なくされている。
【０００８】
本発明は上記事情に着目してなされたもので、複数枚投入される２Ｋ，５Ｋをつり札紙幣としてリサイクルでき、また、１０Ｋの払い出し機能を損なうことのないようにした紙葉類処理装置を提供することを目的とする。
【課題を解決するための手段】
【０００９】
上記課題を解決するため、請求項１記載のものは、各種紙幣を一括して投入させる投入手段と、この投入手段によって投入された紙幣を分離搬送する搬送手段と、この搬送手段によって搬送される紙幣の種類を判別する判別手段と、この判別手段によって第１種別と判別された紙幣の１枚目を保留させる第１の保留手段と、前記判別手段によって第２種別と判別された紙幣の１枚目を保留させる第２の保留手段と、前記判別手段によって第１種別及び第２種別と判別された紙幣の２枚目以降を混合保留させる第３の保留手段とを具備する。
【００１０】
請求項２記載のものは、各種紙幣を一括して投入させる投入手段と、この投入手段によって投入された紙幣を分離搬送する搬送手段と、この搬送手段によって搬送される紙幣の種類を判別する判別手段と、この判別手段によって第１種別と判別された紙幣の１枚目を保留させる第１の保留手段と、前記判別手段によって第２種別と判別された紙幣の１枚目を保留させる第２の保留手段と、前記判別手段によって第１種別及び第２種別と判別された紙幣の２枚目以降を混合集積させる第３の保留手段とを具備し、前記第１及び第２の保留手段は、その内部に連続する第１及び第２の搬送経路を有し、この第１及び第２の搬送経路を２段構造とし、前記紙幣を前記第１の搬送経路に導入させて一次保留し、この一次保留した紙幣を前記投入された紙幣の金額の確定後に前記第２の搬送経路に搬送して二次保留する。
【発明の効果】
【００１１】
本発明は、第１種別紙幣、第２種別紙幣が複数枚投入された場合には、その１枚目を第１及び第２の保留手段に保留し、２枚目以降を第３の保留手段に混合保留するため、第１種別紙幣、第２種別紙幣が複数枚投入されも、その紙幣のリサイクルが可能となり、リサイクル率を向上させることができる。
【００１２】
また、１万円紙幣の金庫には第１種別紙幣を収納しないため、定期券解約時の払い戻し等において１万円の払い出し機能を使用することが可能となる。
【発明を実施するための最良の形態】
【００１３】
以下、本発明を図面に示す実施の形態を参照して詳細に説明する。  
図１は本発明の一実施の形態である紙幣処理装置を示す全体構成図である。
【００１４】
紙幣処理装置は装置本体１を備え、この装置本体１の前面上部側には紙幣出入口１ａが設けられている。この紙幣出入口１ａには前方に突出する状態で投入手段としての紙幣挿入／排出部１ｂが設けられ、この紙幣挿入／排出部１ｂから紙幣がその長手方向に沿って一括挿入／一括排出される。
【００１５】
装置本体１内には紙幣出入口１ａに接続される第１の紙幣搬送路４１が設けられている。第１の紙幣搬送路４１には紙幣の搬送方向に沿って出入ロシヤッタ３、センサ２ａ、２ｂ、取込／排出ローラ４、集積部５、紙幣分離部１０、及びセンサ１１が配設されている。
【００１６】
上記挿入ロシヤッタ３はアクチュエータ（図示しない）により開閉される。
【００１７】
センサ２ａ、２ｂは紙幣挿入／排出部１ｂから挿入される挿入紙幣の短手方向の複数の位置（この例では２箇所）を検知する。
【００１８】
取込／排出ローラ４は紙幣の搬送と必要に応じ紙幣のホールドを行う。
【００１９】
集積部５は、挿入紙幣の一括集積を行うとともに、排出紙幣の重ね合わせ集積を行う。
【００２０】
集積部５には紙幣の有無を検知する集積検知センサ６及び一定位置に紙幣を留める集積ストッパ７さらに、一括集積された紙幣を後段の紙幣分離部１０に送り込む繰出ローラ８が設けられている。繰出ローラ８の繰出側には紙幣の繰出動作のタイミングをとるセンサ９が設けられている。
【００２１】
紙幣分離部１０は集積部５から送り込まれた紙幣を１枚ずつ分離し、後段の紙幣鑑別部に紙幣を１枚ずつ送り込むものである。紙幣分離部１０には紙幣の１枚ずつの分離動作が終了したことを検知するセンサ１１が設けられている。
【００２２】
上記した第１の紙幣搬送路４１には、垂直方向に沿って配置される第２の紙幣搬送路４２が接続されている。この第２の紙幣搬送路４２中には検知センサ１２、判別手段としての鑑別部１３、及び検知センサ１４が配設されている。
【００２３】
検知センサ１２は鑑別部１３に導入される紙幣を検知するもので、鑑別部１３は紙幣の種類、真偽等の鑑査を行うものである。検知センサ１４は紙幣の長さ、厚みを検知するものである。
【００２４】
第２の紙幣搬送路４２の下端部には垂直方向に沿って配置される第３の紙幣搬送路４３が接続されている。第３の紙幣搬送路４３の一側方部には第１の金庫１５、他側方部には第２の金庫１６が設けられている。第１の金庫１５には第３種別としての千円紙幣（以下、１Ｋという）が収納され、第２の金庫１６には第４種別としての１万円紙幣（以下、１０Ｋという）が収納される。
【００２５】
第１及び第２の金庫１５，１６には後述するようにそれぞれ鍵付きの金庫扉が設けられ、内部の下部側には紙幣取込部２０，２２が配置されている。１Ｋ、１０Ｋは金庫１５，１６内に重ね合わせて保留される。第１及び第２の金庫１５，１６内の上部側には収納紙幣を１枚ずつ分離して排出する排出部２１、２３が配設されている。
【００２６】
また、金庫扉には小さな扉が設けられ、一次保留された紙幣は扉を開けて取り出すことができるが、アクチュエータなどを用いて扉にロックをかけることにより紙幣を二次保留紙幣に切りかえることも可能である。
【００２７】
ここで、一次保留紙幣とは、切符等の購入客が投入した紙幣で、発行券種、発行金額等が確定するまで保留されているもので所有権は購入客にある。このため、客の「購入取り消し」の要求によりそのまま返却可能であることが必要である。またこの状態で券詰まり等を起こした場合は鍵等を用いずに詰まり券処理を行う（客に返却する）ことができなければならない。
【００２８】
二次保留紙幣とは、切符等の購入が終了したあと、次客の紙幣投入までの間保留されている紙幣で、所有権は駅（電鉄会社）である。購入終了後に投入紙幣に関する客とのトラブルを防ぐために、投入紙幣の内容を残しておく意味で保留されるもので、二次保留部は金庫と同等の扱い（鍵なしでアクセス不可）が必要である。
【００２９】
上記した第３の紙幣搬送路４３中には、それぞれ第１及び第２の金庫部１５，１６への紙幣の振り分けを行う第１及び第２のフラッパ（ゲート）１８，１９が配設され、この第１及び第２のフラッパ（ゲート）１８，１９の上方部及び下方部には紙幣を検知する搬送検知センサ１７、２５が配設されている。
【００３０】
ところで、上記した金庫１５，１６の下部側にはそれぞれ５Ｋ（第２券種）、２Ｋ（第１券種）の第１及び第２の一枚保留部（一次、二次保留部）２８、２９が配設されている。この一枚保留部（一次、二次保留部）２８、２９は、投入紙幣のうち５Ｋ、２Ｋを１枚ずつ一次保留紙幣として保留し、更につり札用として二次保留を行う。
【００３１】
一枚保留部（一次、二次保留部）２９の下部側には、２Ｋ、５Ｋの第３の保留手段としての混合保留部２４が設けられ、一枚保留部（一次、二次保留部）２８、２９に保留券がある場合に投入された２Ｋ、５Ｋを保留させるものである。
【００３２】
一枚保留部（一次、二次保留）２８の下部側には紙幣リジェクト部２７が設けられ、監査部１３で鑑査できなかった紙幣を返却前に一旦保留する。
【００３３】
第３の紙幣搬送路４３にはフラッパ１９の下方部に位置してフラッパ２６が設けられている。
【００３４】
このフラッパ２６の一側方部には、紙幣を一枚保留部（一次、二次保留）２８と紙幣リジェクト部２７への振り分けを行うフラッパ３０が設けられ、他側部側には紙幣を一枚保留部（一次、二次保留）２９と混合保留部２４への振り分けを行うフラッパ３１が設けられている。
【００３５】
一方、第１の金庫１５の上方部には、回収金庫３２が設けられ、この回収金庫３２は紙幣２Ｋ、５Ｋの収納、及び発売終了後の全紙幣の回収を行うためのものである。
【００３６】
回収金庫３２の前面上部側には入口部３２ａが設けられ、この入口部３２ａは第４の紙幣搬送路４４を介して第１の紙幣搬送路４１に接続されている。第４の紙幣搬送路４４中には入口搬送路検知センサ３４が設けられている。
【００３７】
なお、第２の紙幣搬送路４２から上方へ搬出される紙幣はフラッパ３３により排出パス（矢印３５で示すパス）と、回収金庫３２へ振り分けられるようになっている。
【００３８】
図２及び図３は、上記した２Ｋの一枚保留部２９を示すものである。
【００３９】
なお、５Ｋの一枚保留部２８は２Ｋの一枚保留部２９と左右対称の全く同じ構成であるため、その説明については省略する。
【００４０】
一枚保留部２９はケーシング７１を有し、このケーシング７１の前面部には紙幣出入口７１ａが設けられている。紙幣出入口７１ａの前方部には振分フラッパ５２が設けられ、この振分フラッパ５２を介して紙幣がケーシング７１内に導入されるようになっている。
【００４１】
ケーシング７１内には４個の小ローラ７２と、２個の大ローラ７３が配設され、これら小ローラ７２と大ローラ７３には搬送ベルト７４が掛け渡されている。ケーシング７１内には大ローラ７３間に位置して上下のガイドプレート７６，７７が配設され、これら上下部のガイドプレート７６，７７は搬送ベルト７４に対し所定間隔を存して対向されている。下部側のガイドプレート７７と搬送ベルト７４との間には第１の搬送経路としての一次保留部５５が形成され、上部側のガイドプレート７６と搬送ベルト７４との間には第２野搬送経路としての二次保留部５６が形成されている。
【００４２】
ケーシング７１内の小ローラ７２の一つには駆動ベルト５４を介して駆動モータ（図示しない）が接続されている。駆動モータの駆動により搬送ベルト７４が走行され、紙幣が一次保留部５５から二次保留部５６へと搬送されるようになっている。
【００４３】
また、ケーシング７１内には、一次及び二次保留部５５，５６に進退するストッパ５７，５８が配設されている。これらストッパ５７，５８は回動レバー７９の両端部に取付けられている。また、回動レバー７９の両端部にはテンションローラ５９，６０が取付けられている。回動レバー７９はその中央部が支持部８０により回動自在に支持され、回動レバー７９にはリンク機構８２を介してソレノイド６１が接続されている。ソレノイド６１のオン、オフにより回動レバー７９が回動されてそのテンションローラ５９，６０を搬送ベルト７４に接離させるとともに、紙幣ストッパ５７，５８を一次保留部５５及び二次保留部５６に対し進退させる。
【００４４】
また、振分フラッパ５２は上記リンク機構８２に連動機構を介して連動し、ソレノイド６１がオンされることに基づいて紙幣を一枚保留部２９に導入させるように動作する。
【００４５】
次に、上記したように構成される一枚保留部２９の動作について説明する。
【００４６】
投入紙幣が２Ｋと判定され、かつ、一枚保留部２９につり札用の二次紙幣がないと判断された場合には、図３に示すようにソレノイド６１がオンされてリンク機構８２を介して振分フラッパ５２が紙幣を受ける方向に動作されるとともに、駆動モータが駆動されて搬送ベルト７４が走行される。これにより、紙幣が一枚保留部２９の入口部７１ａから一次保留部５５に導入されて引き込まれる。
【００４７】
引き込まれた紙幣の先端部が一次検知センサ６２によって検知されると、ソレノイド６１がオフされ、図２に示すようにストッパ５７，５８が一次及び二次保留部５５，５６に挿入されて紙幣をストップさせるとともに、一定時間後に駆動モータが停止されて一次保留部５５に紙幣が保留（一次保留）される。その後更に２Ｋが投入された場合、この投入された紙幣は混合保留部２４に保留される。
【００４８】
また、二次保留部５６につり札用二次紙幣が既にある場合は、監査部１３から出てきた２Ｋはそのまま混合保留部２４に保留される。
【００４９】
紙幣の挿入が完了し金額が確定すると、ソレノイド６１がオンされ、リンク機構８２が引かれてテンションローラ５９が下降し、紙幣を搬送ベルト７４に押し付けてグリップを確保すると同時に、紙幣ストッパ５７，５８が上方へ退避する。
【００５０】
この状態から駆動モータが駆動されて搬送ベルト７４が走行されて紙幣が一次保留部５５から送り出されて二次保留部５６へ送り込まれる。この二次保留部５６に送込まれる紙幣の先端部がセンサ６３にて検知されると、ソレノイド６１がオフされて駆動モータの駆動が停止され、紙幣は二次保留部５６に保留される。この二次保留券はそのまま次客以降のつり札紙幣として保留される。
【００５１】
図４は，第１及び第２の金庫１５，１６を開閉する金庫扉８５を示すものである。
【００５２】
この金庫扉８５は鍵８５ａを有し、鍵８５ａがキーによって施錠、或いは開錠されることにより開閉されるようになっている。この金庫扉８５は一枚保留部２９の扉として兼用される。
【００５３】
金庫扉８５には一枚保留部２９の一次保留部５５に対向する開口窓８５ｂが穿設され、一次保留部５５にある紙幣は側面より容易に取り出すことが可能であるが、二次保留部５６にはある紙幣はキーを用いて金庫扉８５を開放しないと取り出せない構造になっている。
【００５４】
図５は上記した２Ｋ（５Ｋ）の投入から一次保留までの動作を示すフローチャートである。
【００５５】
紙幣挿入／排出部１ｂから一括して投入された紙幣は取込まれて集積部５に集積され（ステップＳ１）、この集積された紙幣は分離ローラ１０で分離されて取出され（ステップＳ２）、鑑別部１３で鑑別される（ステップＳ３）。この鑑別部１３で投入された紙幣が２Ｋ（５Ｋ）であるのかが判別され（ステップＳ４）、投入された紙幣が２Ｋ（５Ｋ）の場合には、一次保留部５５に紙幣があるか否かが判別される（ステップＳ５）。
【００５６】
一次保留部５５に紙幣がない場合には、一枚保留部２９（２８）に２Ｋ（５Ｋ）が保留される（ステップＳ６）。一次保留部５５に紙幣がある場合には、混合保留部２４に２Ｋ（５Ｋ）が保留される（ステップＳ７）。ステップ６或いはステップ７における紙幣保留後、投入紙幣がまだ有るか否かが判別され（ステップ８）、投入紙幣が有る場合には、ステップ２以降の動作が繰り返され、無い場合には処理が終了する。
【００５７】
図６は上記した２Ｋ（５Ｋ）の一次保留から二次保留までの動作を示すフローチャートである。
【００５８】
まず、一次保留部５５に２Ｋ（５Ｋ）があるか否かが判別され（ステップＳ１１）、あると判別された場合には、２Ｋ（５Ｋ）が一次保留部５５から二次保留部５６に移動され、次客以降のつり札紙幣として保留される（ステップＳ１２）。ついで、混合保留部２４に紙幣があるか否かが判別され、紙幣がない場合には、処理が終了される。
【００５９】
次に、上記した紙幣処理装置の全体的な動作について説明する。
【００６０】
紙幣挿入／排出口１ｂに一括挿入された複数枚紙幣は、通常、集積部５にて一旦集積される。この集積後、紙幣は分離ローラ１０で１枚ずつ分離されて鑑別部１３に送られる。
【００６１】
この紙幣鑑別部１３で紙幣の券種、真偽等の判定が行われ、判定結果が真券で１Ｋの場合には、図７に示すように第１の金庫１５の紙幣取込部２０に一次保留され、金額確定とともに開閉扉にロックがかかり図８に示すように二次保留となり、その後次客投入により第１の金庫１５内に収納される。
【００６２】
また、図７に示すように紙幣が紙幣取込部２０に一次保留されたのち、客から購入取消しの要求があった場合には、図９に示すように紙幣取込部２０から紙幣が送り出されて集積部５で集積されたのち、紙幣挿入／排出口１ｂから一括して排出される。
【００６３】
判定結果が２Ｋの場合（５Ｋの場合も同様）には、紙幣挿入／排出口１ｂに紙幣が投入された際に一枚保留部２９内に２Ｋが１枚保留（つり札用）されていると、図１０に示すように投入された２Ｋは全て混合保留部２４内に５Ｋと混合で一次保留される。
【００６４】
金額確定と共に一次保留部２４内の紙幣は図１１に示すように回収金庫３２に移送され、保留部にて保留される。その後次客の紙幣投入により図１２に示すように回収金庫３２内の収納部に収納される。
【００６５】
紙幣挿入／排出口１ｂに紙幣が投入された際、一枚保留部２９内に２Ｋが保留されていない場合には、投入された２Ｋのうち１枚目の紙幣は図１３に示すように一枚保留部２９内に一次保留され、残りの紙幣は図１４に示すように混合保留部２４に一次保留される。
【００６６】
金額確定とともに、図１５に示すように混合保留部２４内の紙幣は回収金庫３２に移送されてその保留部に保留される。また、一枚保留部２９内の紙幣は図１６に示すように二次保留となり、そのまま次客以降のつり札紙幣として保留される。その後次客投入により図１７に示すように回収金庫３２内で保留されている紙幣が収納部に収納される。
【００６７】
判定結果が１０Ｋの場合には、図１８に示すように第２の金庫１６の紙幣取込部２２に一次保留されるが、２０枚目の１０Ｋが投入されると、図１９に示すように、１０Ｋが紙幣取込部２２から取出されて回収金庫３２に移送され、保留部にて保留される。この後、図２０に示すように２０枚目以後の１０Ｋが第２の金庫１６の紙幣取込部２２に一次保留され、金額確定と共に取込部２２内の紙幣は図２１に示すように二次保留となり、その後次客の紙幣投入により収納される。
【００６８】
また、判定結果が偽券、或いは判別不能の場合には、図２２に示すように鑑別エラー紙幣鑑別部２７に収納される。鑑別エラー紙幣鑑別部２７に収納された紙幣は図２３に示すように取出されて搬送され、紙幣挿入／排出口１ｂに放出される。
【００６９】
上記したように、この実施の形態によれば、一枚保留部２８，２９と混合保留部２４を備え、２Ｋ、５Ｋが複数枚（混合投入も含む）投入された場合には、一枚目を一枚保留部２８，２９に保留し、２枚目以降を混合保留部２４に集積するため、複数枚投入される２Ｋ、５Ｋでも、リサイクル紙幣として用いることができ、リサイクル率を向上でき、つり札紙幣の補給や回収紙幣の取り出しの回数を減らすことができる。
【００７０】
また、２Ｋは混合保留部２４に５Ｋと混合保留され、１０Ｋ金庫１６には１０Ｋのみを収納するため、定期券解約時の払い戻し等において、１０Ｋの払い出しが可能となる。
【００７１】
また、一枚保留部２８，２９は、その内部に連続する第１及び第２の搬送経路を有し、この第１及び第２の搬送経路を２段構造として一次保留部５５及び二次保留部５６を形成するため、小さなスペースと少ない構成部品で一次紙幣と二次紙幣の切り分け保留を実現でき、省スペース化、低コスト化が可能である。
【００７２】
また、一枚保留部２８，２９の二次保留部５６はキーでロックされる金庫扉８５によって閉塞されるため、二次保留紙幣に対しキーを用いずにアクセスすることが不可能であり、セキュリティ性が高い。
【００７３】
さらに、金庫扉８５を二次保留部５６の扉と兼用するため、省スペース、低コスト化を実現しているだけでなく、鍵の個数を減らすことができ、駅係員の業務を簡素化できる。
【００７４】
なお、本発明は、上記一実施の形態に限られることなく、その要旨の範囲内で種々変形実施可能なことは勿論である。
【図面の簡単な説明】
【００７５】
【図１】本発明の一実施の形態である紙幣処理装置を概略的に示す構成図。
【図２】同紙幣処理装置に備えられる一枚保留部を示す構成図。
【図３】同紙幣処理装置に備えられる一枚保留部を示す構成図。
【図４】同一枚保留部の二次保留部を開閉する金庫扉を示す正面図。
【図５】同一枚保留部が紙幣を１次保留するまでの動作を示すフローチャート図。
【図６】同一枚保留部が紙幣を２次保留するまでの動作を示すフローチャート図。
【図７】同紙幣処理装置が１Ｋを一次保留するまでの動作を示す図。
【図８】同紙幣処理装置が１Ｋを二次保留から収納するまでの動作を示す図。
【図９】同紙幣処理装置が一次保留紙幣を返却する動作を示す図。
【図１０】同紙幣処理装置が２Ｋを混合保留部に保留する動作を示す図。
【図１１】同紙幣処理装置が２Ｋを回収金庫に回収する動作を示す図。
【図１２】同紙幣処理装置が２Ｋを回収金庫に収納する動作を示す図。
【図１３】同紙幣処理装置が２Ｋを一次保留部に保留する動作を示す図。
【図１４】同紙幣処理装置が２Ｋの２枚目以降を混合保留部に保留する動作を示す図。
【図１５】同紙幣処理装置が混合保留部の紙幣を回収金庫に回収する動作を示す図。
【図１６】同紙幣処理装置が一枚保留部の一次保留部に保留された紙幣を二次保留部に移動させる動作を示す図。
【図１７】同紙幣処理装置が回収金庫内へ紙幣を収納する動作を示す図。
【図１８】同紙幣処理装置が１０Ｋを収納する動作を示す図。
【図１９】同紙幣処理装置が１０Ｋ金庫から１０Ｋを回収金庫へ回収する動作を示す図。
【図２０】同紙幣処理装置が２０枚目からの１０Ｋを収納する動作を示す図。
【図２１】同紙幣処理装置が１０Ｋ金庫及び回収金庫内に紙幣を収納する動作を示す図。
【図２２】同紙幣処理装置が鑑別エラー紙幣を収納する動作を示す図。
【図２３】同紙幣処理装置が鑑別エラー紙幣を排出する動作を示す図。
【符号の説明】
【００７６】
１Ｋ…千円紙幣（第３種別）、２Ｋ…２千円紙幣（第１種別）、５Ｋ…５千円紙幣（第２種別）、１０Ｋ…１万円紙幣（第４種別）、１ａ…紙幣挿入／排出部（投入手段）、１３…鑑別部（判別手段）、１５…第１の金庫、１６…第２の金庫、２４…混合保留部（第３の保留手段）、２８…一枚保留部（第２の保留手段）、２９…一枚保留部（第１の保留手段）、４１〜４４…第１乃至第４の紙幣搬送路（搬送手段）、５２…振分ゲート、５５…一次保留部（第１の搬送経路）、５６…一次保留部（第２の搬送経路）、５７…第１のストッパ、５８…第２のストッパ、５９，６０…テンションローラ（押圧ローラ）、６２…第１の検知センサ、６３…第２の検知センサ、７４…搬送ベルト。
【図１】
2005100169.tif 000003
【図２】
2005100169.tif 000004
【図３】
2005100169.tif 000005
【図４】
2005100169.tif 000006
【図５】
2005100169.tif 000007
【図６】
2005100169.tif 000008
【図７】
2005100169.tif 000009
【図８】
2005100169.tif 000010
【図９】
2005100169.tif 000011
【図１０】
2005100169.tif 000012
【図１１】
2005100169.tif 000013
【図１２】
2005100169.tif 000014
【図１３】
2005100169.tif 000015
【図１４】
2005100169.tif 000016
【図１５】
2005100169.tif 000017
【図１６】
2005100169.tif 000018
【図１７】
2005100169.tif 000019
【図１８】
2005100169.tif 000020
【図１９】
2005100169.tif 000021
【図２０】
2005100169.tif 000022
【図２１】
2005100169.tif 000023
【図２２】
2005100169.tif 000024
【図２３】
2005100169.tif 000025